(57)【要約】【課題】マッサージを行う人が異なっても、一定のマッサージ効果が提供でき、説明文などの理解をせずに容易にマッサージを行うことができるマッサージ補助装置を提供する。【解決手段】１又はそれ以上の発光体１０を有し、発光体から発する光を顔面に照射し、発光体の移動に伴って移動する顔面上の光によって指圧をさせる位置を指し示すマッサージ補助装置であって、発光体を駆動させる駆動手段１１と、駆動手段及び発光体を所定のプログラムに基づいて駆動及び発光させる制御手段１２と、所定のプログラムを格納する格納手段１３とを備える。【選択図】図１
2009018147.tif 000002
【特許請求の範囲】
【請求項１】
１又はそれ以上の発光体を有し、前記発光体から発する光を顔面に照射し、前記発光体の移動に伴って移動する前記顔面上の光によって指圧をさせる位置を指し示すマッサージ補助装置であって、
前記発光体を駆動させる駆動手段と、
前記駆動手段及び前記発光体を所定のプログラムに基づいて駆動及び発光させる制御手段と、
前記所定のプログラムを格納する格納手段とを
備えるマッサージ補助装置。
【請求項２】
前記所定のプログラムは、前記発光体から発する前記光の前記顔面上の移動が、前記顔面上において指圧位置に沿った移動となるように、前記駆動手段を制御するとともに、前記発光体の移動の際に前記発光体が発光するように前記発光体を制御するプログラム情報である請求項１に記載のマッサージ補助装置。
【請求項３】
１又はそれ以上の発光体を有し、前記発光体によって顔面に照射された光によって指圧をさせる位置を指し示すマッサージ補助装置であって、
前記発光体を所定のプログラムに基づいて発光させる制御手段と、
前記所定のプログラムを格納する格納手段とを
備えるマッサージ補助装置。
【請求項４】
前記所定のプログラムは、前記顔面上において指圧すべき位置に照射された前記光が当たるように、前記発光体それぞれを発光制御するためのプログラム情報である請求項３に記載のマッサージ補助装置。
【発明の詳細な説明】
【技術分野】
【０００１】  本発明は、自らの顔などのマッサージを行う際に手助けとなるマッサージ補助装置に関する。
【背景技術】
【０００２】  近年、顔や頭など（以下、単に顔とも言う）のマッサージをすることによって健康や美容を維持しようとする試みが盛んに行われている。これに伴い、多くの人が、エステサロン、マッサージサロン、治療院などで顔のマッサージを受けている。一般に、エステサロンなどでマッサージを受けると多くの費用が掛かる。そこで、最近では、自ら自身の顔のマッサージを行う人も増えてきている。しかし、マッサージの知識や技術のない人では自らマッサージをしても効率のよいマッサージを行えないという問題がある。この問題を解消するために、下記の特許文献１では、マッサージの方法や効果などを視覚的に提供することにより、効果的にマッサージを行える技術が開示されている。
【特許文献】  特開２００５−３１４３２９（要約）
【発明の開示】
【発明が解決しようとする課題】
【０００３】  しかしながら、特許文献１に開示された技術では、イラストや説明文でマッサージ方法を解説しているが、人によってはマッサージ方法の理解が異なり、一定のマッサージ効果を提供することが困難である場合がある。また、説明文などを読む手間があり面倒である。【０００４】  本発明は、上記課題を解決するためのものであり、マッサージを行う人が異なっても、一定のマッサージ効果が提供でき、説明文などの理解をせずに容易にマッサージを行うことができるマッサージ補助装置を提供することを目的とする。
【課題を解決するための手段】
【０００５】  上記目的を達成するために、本発明によれば、１又はそれ以上の発光体を有し、前記発光体から発する光を顔面に照射し、前記発光体の移動に伴って移動する前記顔面上の光によって指圧をさせる位置を指し示すマッサージ補助装置であって、前記発光体を駆動させる駆動手段と、前記駆動手段及び前記発光体を所定のプログラムに基づいて駆動及び発光させる制御手段と、前記所定のプログラムを格納する格納手段とを備えるマッサージ補助装置が提供される。この構成により、マッサージを行う人が異なっても、一定のマッサージ効果が提供でき、説明文などの理解をせずに容易にマッサージを行うことができる。【０００６】  また、本発明のマッサージ補助装置において、前記所定のプログラムが、前記発光体から発する前記光の前記顔面上の移動が、前記顔面上において指圧位置に沿った移動となるように、前記駆動手段を制御するとともに、前記発光体の移動の際に前記発光体が発光するように前記発光体を制御するプログラム情報であることは、本発明の好ましい態様である。この構成により、指圧すべき位置を光の位置によって認識できる。【０００７】  また、本発明によれば、１又はそれ以上の発光体を有し、前記発光体によって顔面に照射された光によって指圧をさせる位置を指し示すマッサージ補助装置であって、前記発光体を所定のプログラムに基づいて発光させる制御手段と、前記所定のプログラムを格納する格納手段とを備えるマッサージ補助装置が提供される。この構成により、マッサージを行う人が異なっても、一定のマッサージ効果が提供でき、説明文などの理解をせずに容易にマッサージを行うことができる。【０００８】  また、本発明のマッサージ補助装置において、前記所定のプログラムが、前記顔面上において指圧すべき位置に照射された前記光が当たるように、前記発光体それぞれを発光制御するためのプログラム情報であることは、本発明の好ましい態様である。この構成により、指圧すべき位置を光の位置によって認識できる。
【発明の効果】
【０００９】  本発明のマッサージ補助装置は、上記構成を有し、マッサージを行う人が異なっても、一定のマッサージ効果が提供でき、説明文などの理解をせずに容易にマッサージを行うことができる。
【発明を実施するための最良の形態】
【００１０】＜第１の実施の形態＞
以下に、本発明の第１の実施の形態に係るマッサージ補助装置について説明する。図１は、マッサージ補助装置の構成の一例を示す構成図である。図１に示すように、マッサージ補助装置は、発光体１０、駆動手段１１、制御手段１２、格納手段１３から構成されている。発光体１０は、人体に当てても害を及ぼさない光（可視光）を発するものであり、例えば発光ダイオード（ＬＥＤ）などが考えられる。しかし、発光体１０は、これに限られるものではなく、人体に害を及ぼさない光を発する発光体であればよい。また、なお、近年、美容医学などではフラクショナルレーザ治療などが盛んに行われており、レーザ光によって肌質の改善を行ったり、肌のくすみなどを除去したりしている。このレーザ光を発光体１０が発光する光とすることも実施可能である。第２の実施の形態においても同様である。また、発光体１０は、１つに限られるものではなく、後述するように複数あってもよい。なお、発光体１０の発光量を調整できるような構成とすることも可能である。このことは、後述するように発光量の強弱（多少）で指圧の強さを示す場合や、マッサージを行う場所の環境が一定でない場合（例えば、マッサージを行う部屋が暗いといった場合や逆に部屋が明るいといった場合など）に有効である。第２の実施の形態においても同様である。また、指圧の強さを、発光体１０の発光色や発光量の強弱で示すようにしてもよい。また、発光のタイミングや発光時間は、所望のマッサージに応じて適宜設定される。第２の実施の形態においても同様である。【００１１】  駆動手段１１は、発光体１０を駆動させるものであって、例えばモータやモータによる動力を発光体１０に伝達するためのシャフトなどを含む機構などに相当する。なお、駆動手段１１は、発光体１０ごとに用意されていてもよい。駆動手段１１は、後述する制御手段１２からの信号に基づいて、発光体１０から発せられる光が顔面上の指圧位置に照射されるように発光体１０を駆動させる。顔面に当てられた光に沿ってユーザなどが指圧などのマッサージを行うことにより、マッサージの初心者であっても効率よく適切にマッサージを行うことができる。【００１２】  制御手段１２は、駆動手段１１及び発光体１０を所定のプログラムに基づいて駆動及び発光させるための制御を行うものであって、例えばＣＰＵなどに相当する。ここで、所定のプログラムとは、発光体１０から発する光の顔面上の移動が、顔面上において指圧位置に沿った移動となるように、駆動手段１１を制御するとともに、発光体１０の移動の際に発光体１０が発光するように発光体１０を制御するプログラム情報である。【００１３】  すなわち、制御手段１２は、マッサージ補助装置の起動（電源のＯＮ（オン）など）に基づいて、あらかじめ格納手段１３（例えば、ＨＤＤやメモリなど）に格納された所定のプログラムを読み出す。制御手段１２は、読み出した所定のプログラムの処理に基づいて、駆動手段１１を駆動させるための信号を駆動手段１１に送信するとともに、発光させるべき発光体１０に対して発光を指示するための信号を該当する発光体１０に送信する。これにより、発光体１０は、所定のプログラムに応じた指圧位置（マッサージ位置）に沿って移動するとともに、顔面上において指圧すべき指圧位置に光を照射する。【００１４】  次に、本発明の第１の実施の形態に係るマッサージ補助装置を更に具体的に説明する。図２は、本発明の第１の実施の形態に係るマッサージ補助装置の一例の外観図である。図２に示すように、マッサージ補助装置の前面２１には、複数の発光体１０が配置され、それぞれの発光体１０はそれぞれの発光体１０に対して設けられた移動範囲である所定の範囲２２内を移動することができる。所定の範囲２２は、所定の範囲２２内を移動する発光体１０によって発光される光が顔面上の指圧位置に当たるように設けられている。なお、マッサージ補助装置を使用するユーザの顔の大きさには個人差があり、照射される光の当たる位置が顔面上で微妙にずれることが考えられる。そこで、後述する以外に、顔の大きさの個人差にも対応できるように、例えば発光体１０から照射される光を屈折させて所望の指圧位置に光が当たるようなレンズなどを前面２１の前に設置できるようにしてもよい。すなわち、顔が大きめのユーザは光が外側（顔の中心と逆側）に屈折するようなレンズを用い、顔が小さめのユーザは光が内側（顔の中心側）に屈折するようなレンズを用いる。ただし、顔の大きさの個人差に対応するための照射方法はこれに限られるものではない。例えば、発光体１０自身が上下左右方向（または３６０度方向）に所定の角度まで傾くことが可能となることで、照射させる位置の微調整を可能とさせる照射方法などもある。なお、これらの照射方法及び後述するユーザの大きさを決定する初期設定を用いた照射方法については、第２の実施の形態においても同様である。図２はマッサージ補助装置の一例であって、発光体１０の数や所定の範囲２２の前面２１上における位置はこれに限られるものではない。【００１５】  図２に示されるマッサージ補助装置の電源スイッチ２０が不図示のユーザによってＯＮ状態にされると、制御手段１２は、格納手段１３に格納された所定のプログラムを読み出し、所定のプログラムの処理を開始する。制御手段１２は、所定のプログラムの処理に基づいて、図２において不図示の駆動手段１１を駆動させるための信号を駆動手段１１に送信するとともに、発光するべき発光体１０を発光させるための信号を該当する発光体１０に送信する。【００１６】  駆動手段１１は、受信した信号に基づいて該当する発光体１０を駆動させ、信号を受信した発光体１０は、受信した信号に基づいて発光体１０自身を発光させたり、発光を止めたりする。なお、マッサージ補助装置を用いる場合の位置は、例えば顔面の位置を基準として、顔面から所定の距離離れた位置（例えば、両者の間の距離が３０ｃｍ（ユーザが椅子に座って、マッサージ補助装置を机やテーブルに置いた場合の距離）など）である。しかし、マッサージ補助装置を用いる際に置かれる位置はこれに限られるものではない。また、マッサージ補助装置の発光体の光が顔面に適切に照射されるように、発光体の照射角度を調整することができる。具体的には、マッサージ補助装置の底面の前方側（前面２１側）の位置に、マッサージ補助装置を傾かせるための部材を設置し角度を調整できるようにしてもよい。また、上述したように、発光体１０自身が上下左右方向（または３６０度方向）に所定の角度まで傾くことが可能となることで、マッサージ補助装置の前面２１と顔面との間の位置関係を気にせずに発光体１０からの光を適切に顔面に当てることができる。第２の実施の形態においても同様である。また、ユーザそれぞれの顔の大きさに対応させるために、あらかじめユーザの顔の大きさを決定する初期設定ができるようにしてもよい。【００１７】  この初期設定は、例えばマッサージ補助装置を顔面から所定の距離に配置させ、不図示の初期設定ボタンなどを押し、顔面内の主要な器官（目、鼻、口、あご、額、耳など）の位置を自動若しくは手動で測ることによって、ユーザそれぞれの顔面に合った指圧位置を発光体１０によって照射することができる。なお、顔面内の主要な器官の位置を自動で測る方法として、例えば、マッサージ補助装置自身に装備された撮像装置（カメラなど）又はマッサージ補助装置に接続可能な撮像装置によって撮像されたユーザの画像を解析し、主要な器官の位置を検出する方法が用いられてもよい。第２の実施の形態においても同様である。制御手段１２は、検出された位置の情報に基づいて、駆動手段１１及び発光体１０を制御するための信号を生成して送信する。第２の実施の形態の場合、後述する制御手段３１は、検出された位置の情報に基づいて、発光体３０を発光制御するための信号を生成して送信する。これによって、ユーザそれぞれの顔面に合った指圧位置を発光体１０によって照射することができる。【００１８】  ユーザがマッサージ補助装置を所定の位置に置き、電源スイッチ２０をＯＮ状態にし、初期設定などを行うと、指圧位置に沿って発光体１０が移動するとともに発光する。これにより、ユーザは鏡などを利用して顔面に照射された光の移動に沿って自身で指圧することができる。なお、初期設定をせずに、上述したレンズを前面２１の前に設置して電源スイッチ２０をＯＮ状態にしてもよい。第２の実施の形態においても同様である。【００１９】＜第２の実施の形態＞
以下に、第２の実施の形態に係るマッサージ補助装置について図３を用いて説明する。図３は第２の実施の形態に係るマッサージ補助装置の構成の一例を示す構成図である。図３に示すように、マッサージ補助装置は、発光体３０、制御手段３１、格納手段３２から構成されている。第１の実施の形態に係るマッサージ補助装置と比較して、第２の実施の形態に係るマッサージ補助装置は駆動手段が有していないが、その他の構成要素については第１の実施の形態に係るマッサージ補助装置のそれぞれの構成要素と同様のものであるため説明を省略する。なお、格納手段３２に格納された所定のプログラムは、顔面上において指圧すべき位置に照射された光が当たるように、発光体３０それぞれを発光制御するためのプログラム情報である。【００２０】  次に、第２の実施の形態に係るマッサージ補助装置について更に具体的に図４を用いて説明する。図４に示すように、マッサージ補助装置の前面４１には複数の発光体３０が配置されている。この例では、発光体３０の数は縦に１０個、横に１０個配列されており、計１００個であるが、発光体３０の数はこれに限られるものではない。発光体３０の数が多ければ後述するように、発光の仕方のバリエーションを増やすことができるため、より繊細で精度の高いマッサージを行うことが可能である。なお、発光体３０それぞれは取り外し可能であって、お互いに交換可能であってもよい。これにより、発光頻度の多い発光体と発光頻度の少ない発光体とを交換し、それぞれの発光体の寿命を平均的にすることが可能となる。第１の実施の形態においても同様である。【００２１】  第２の実施の形態に係るマッサージ補助装置は、第１の実施の形態に係るマッサージ補助装置のように、不図示のユーザによって電源スイッチ４０がＯＮ状態にされることにより起動する。ＯＮ状態になると、制御手段３１は、格納手段３２に格納された所定のプログラムを読み込み、読み込んだ所定のプログラムを処理する。制御手段３１は、処理する所定のプログラムに基づいて、発光させるべき発光体３０に対して発光するための信号（発光信号）を送信する。発光体３０は、受信した信号に基づいて自身を発光させる。【００２２】  ここで、発光体３０の発光の具体的な例について図５を用いて説明する。図５は、上述したマッサージ補助装置の前面４１を拡大したものである。前面４１には１００個の発光体３０が配置されている。ここで、それぞれの発光体を示す際、座標値［ｉ、ｊ］を用いて示す。すなわち、例えば左下の隅を基準として、左下の隅に位置する発光体は発光体［１、１］、右下の隅に位置する発光体は発光体［１００、１］、左上の隅に位置する発光体は発光体［１、１００］、右上の隅に位置する発光体は発光体［１００、１００］と表す。【００２３】  例えば、所定のプログラムの一部が目の下に位置するラインをマッサージさせるためのプログラムである場合、制御手段３１は読み込んだプログラムに基づいて、目の下に位置するラインに相当する発光体、例えば左目の下に位置するラインに相当する発光体［２、７］、発光体［３、６］、発光体［４、６］を発光させるための信号を該当する発光体に送信する。この信号に基づいて、発光体［２、７］、���光体［３、６］、発光体［４、６］はそれぞれ発光する。この場合、発光体［２、７］、発光体「３、６］、発光体［４、６］は時間差をつけて発光するようにしてもよい。これにより、マッサージをする方向を示すことができる。【００２４】  なお、右目の下のラインに相当する発光体［９、７］、発光体［８、６］、発光体［７、６］についても同様である。また、他の部位（頬、目頭、鼻の脇、額、あご、首など）においても同様にそれぞれの部位に相当する発光体を発光させることにより、顔面などに対する一連のマッサージを行うことができる。上述した例では、発光体の数を１００個としているが、この数を多くすることによって、発光の仕方のバリエーションを増やすことができるため、より繊細で精度の高いマッサージを行うことが可能である。【００２５】  ここで、第１及び第２の実施の形態に係るマッサージ補助装置を用いた際のユーザの顔面を図６に示す。図６に示すように、例えば顔面上の目の下には照射された光の位置６０があり、所定のプログラムに基づいて駆動する発光体により、光の位置６０が左右方向に移動する。第２の実施の形態の場合であれば、所定のプログラムにより対応する部分の発光体が発光し、光の位置６０が左右方向に移動する。この光の位置６０の移動に沿って指圧を行うことによって、初心者でも効率よく、適切なマッサージを行うことができる。【００２６】  第１及び第２の実施の形態で述べたように、マッサージの手順をプログラミングした所定のプログラムに基づいて、駆動手段を駆動させ発光体を発光させる、又は発光体を発光させることにより、マッサージの初心者であっても効率よく、適切なマッサージを行うことができる。なお、プログラミングするマッサージ手順のプログラムは、１つのマッサージ手順に限られるものではなく、現存する様々なマッサージ手順（くすみ解消専用のマッサージ手順、むくみ解消のマッサージ手順、小顔にするためのマッサージ手順など）を実現できるプログラムである。【００２７】  また、上述した各実施の形態では、顔面のマッサージに用いる場合について説明したが、顔面に限らず、頭部、脚、腹部、胸部などの他の人体の部位についても同様に用いることが可能である。また、各実施の形態で説明したマッサージ補助装置の前面は平らな面の一面のみで構成されているが、図７に示すように、複数の面で構成されるようにしてもよい。ここでは、前面が３面から構成されているが、中心の前面の上下に不図示の前面があってもよい。これにより、前面の一面のみでは発光された光が当たりにくい部位にも発光された光を当てることができ、立体的な顔のマッサージを効率よく行うことができる。また、各実施の形態ではマッサージをする際の補助装置として説明したが、マッサージの補助に限られることはなく、顔面へ照射される光の発光制御によって、例えば化粧（メイクアップ）の手順を示すようにしてもよい。これにより、化粧の苦手なユーザや流行の化粧をユーザ自らで容易にすることが可能となる。【００２８】  以下に、上述した光の照射によって化粧の手順を示す化粧補助装置の１つ目の実施の形態について説明する。図８は、化粧補助装置の構成の一例を示す構成図である。図８に示すように、化粧補助装置は、発光体８０、駆動手段８１、制御手段８２、格納手段８３から構成されている。発光体８０は、人体に当てても害を及ぼさない光（可視光）を発するものであり、例えば発光ダイオード（ＬＥＤ）などが考えられる。しかし、発光体８０は、これに限られるものではなく、人体に害を及ぼさない光を発する発光体であればよい。【００２９】  また、なお、近年、美容医学などではフラクショナルレーザ治療などが盛んに行われており、レーザ光によって肌質の改善を行ったり、肌のくすみなどを除去したりしている。このレーザ光を発光体８０が発光する光とすることも実施可能である。なお、後述する２つ目の実施の形態においても同様である。また、発光体８０は、１つに限られるものではなく、後述するように複数あってもよい。なお、発光体８０の発光量を調整できるような構成とすることも可能である。このことは、後述するように発光量の強弱（多少）で化粧の濃さを示す場合や、化粧を行う場所の環境が一定でない場合（例えば、化粧を行う部屋が暗いといった場合や逆に部屋が明るいといった場合など）に有効である。後述する２つ目の実施の形態においても同様である。また、化粧の濃さは、発光体８０の発光色や発光量の強弱で示すようにしてもよい。また、発光のタイミングや発光時間は、所望の化粧に応じて適宜設定される。後述する２つ目の実施の形態においても同様である。【００３０】  駆動手段８１は、発光体８０を駆動させるものであって、例えばモータやモータによる動力を発光体８０に伝達するためのシャフトなどを含む機構などに相当する。なお、、駆動手段８１は、発光体８０ごとに用意されていてもよい。駆動手段８１は、後述する制御手段８２からの信号に基づいて、発光体８０から発せられる光が顔面上の化粧位置に照射されるように発光体８０を駆動させる。顔面に当てられた光に沿ってユーザなどが化粧を行うことにより、化粧の苦手な者や化粧の初心者であっても効率よく適切に化粧を行うことができる。【００３１】  制御手段８２は、駆動手段８１及び発光体８０を所定のプログラムに基づいて駆動及び発光させるための制御を行うものであって、例えばＣＰＵなどに相当する。ここで、所定のプログラムとは、発光体８０から発する光の顔面上の移動が、顔面上において化粧位置に沿った移動となるように、駆動手段８１を制御するとともに、発光体８０の移動の際に発光体８０が発光するように発光体８０を制御するプログラム情報である。【００３２】  すなわち、制御手段８２は、化粧補助装置の起動（電源のＯＮ（オン）など）に基づいて、あらかじめ格納手段８３（例えば、ＨＤＤやメモリなど）に格納された所定のプログラムを読み出す。制御手段８２は、読み出した所定のプログラムの処理に基づいて、駆動手段８１を駆動させるための信号を駆動手段８１に送信するとともに、発光させるべき発光体８０に対して発光を指示するための信号を該当する発光体８０に送信する。これにより、発光体８０は、所定のプログラムに応じた化粧位置（化粧箇所）に沿って移動することにより、顔面上において化粧すべき化粧位置に光を照射する。【００３３】  次に、１つ目の実施の形態に係る化粧補助装置を更に具体的に説明する。図９は��１つ目の実施の形態に係る化粧補助装置の一例の外観図である。図９に示すように、化粧補助装置の前面９１には、複数の発光体８０が配置され、それぞれの発光体８０はそれぞれの発光体８０に対して設けられた移動範囲である所定の範囲９２内を移動することができる。所定の範囲９２は、所定の範囲９２内を移動する発光体８０によって発光される光が顔面上の化粧位置に当たるように設けられている。なお、化粧補助装置を使用するユーザの顔の大きさには個人差があり、照射される光の当たる位置が顔面上で微妙にずれることが考えられる。そこで、後述する以外に、顔の大きさの個人差にも対応できるように、例えば発光体８０から照射される光を屈折させて所望の化粧位置に光が当たるようなレンズなどを前面９１の前に設置できるようにしてもよい。すなわち、顔が大きめのユーザは光が外側（顔の中心と逆側）に屈折するようなレンズを用い、顔が小さめのユーザは光が内側（顔の中心側）に屈折するようなレンズを用いる。ただし、顔の大きさの個人差に対応するための照射方法はこれに限られるものではない。例えば、発光体８０自身が上下左右方向（または３６０度方向）に所定の角度まで傾くことが可能となることで、照射させる位置の微調整を可能とさせる照射方法などもある。なお、これらの照射方法及び後述するユーザの大きさを決定する初期設定を用いた照射方法については、後述する２つ目の実施の形態においても同様である。図９は化粧補助装置の一例であって、発光体８０の数や所定の範囲９２の前面９１上における位置はこれに限られるものではない。【００３４】  図９に示される化粧補助装置の電源スイッチ９０が不図示のユーザによってＯＮ状態にされると、制御手段８２は、格納手段８３に格納された所定のプログラムを読み出し、所定のプログラムの処理を開始する。制御手段８２は、所定のプログラムの処理に基づいて、図９において不図示の駆動手段８１を駆動させるための信号を駆動手段８１に送信するとともに、発光するべき発光体８０を発光させるための信号を該当する発光体８０に送信する。【００３５】  駆動手段８１は、受信した信号に基づいて該当する発光体８０を駆動させ、信号を受信した発光体８０は、受信した信号に基づいて発光体８０自身を発光させたり、発光を止めたりする。なお、化粧補助装置を用いる場合の位置は、例えば顔面の位置を基準として、顔面から所定の距離離れた位置（例えば、両者の間の距離が３０ｃｍ（ユーザが椅子に座って、化粧補助装置を机やテーブルに置いた場合の距離）など）である。しかし、化粧補助装置を用いる際に置かれる位置はこれに限られるものではない。また、化粧補助装置の発光体の光が顔面に適切に照射されるように、発光体の照射角度を調整することができる。具体的には、化粧補助装置の底面の前方側（前面９１側）の位置に、化粧補助装置を傾かせるための部材を設置し角度を調整できるようにしてもよい。また、上述したように、発光体８０自身が上下左右方向（または３６０度方向）に所定の角度まで傾くことが可能となることで、化粧補助装置の前面９１と顔面との間の位置関係を気にせずに発光体８０からの光を適切に顔面に当てることができる。後述する２つ目の実施の形態にお���ても同様である。後述する２つ目の実施の形態の場合には、発光体を上下左右方向（または３６０度方向）に傾かせるための不図示の駆動手段を設け、制御手段からの制御信号に基づいて不図示の駆動手段を駆動させることにより発光体を傾けさせることになる。また、ユーザそれぞれの顔の大きさに対応させるために、あらかじめユーザの顔の大きさを決定する初期設定ができるようにしてもよい。【００３６】  この初期設定は、例えば化粧補助装置を顔面から所定の距離に配置させ、不図示の初期設定ボタンなどを押し、顔面内の主要な器官（目、鼻、口、あご、額、耳など）の位置を自動若しくは手動で測ることによって、ユーザそれぞれの顔面に合った化粧位置を発光体８０によって照射することができる。なお、顔面内の主要な器官の位置を自動で測る方法として、例えば、化粧補助装置自身に装備された撮像装置（カメラなど）又は化粧補助装置に接続可能な撮像装置によって撮像されたユーザの画像を解析し、主要な器官の位置を検出する方法が用いられてもよい。後述する２つ目の実施の形態においても同様である。制御手段８２は、検出された位置の情報に基づいて、駆動手段８１及び発光体８０を制御するための信号を生成して送信する。後述する２つ目の実施の形態の場合、後述する制御手段１０１は、検出された位置の情報に基づいて、発光体１００を発光制御するための信号を生成して送信する。これによって、ユーザそれぞれの顔面に合った化粧位置を発光体８０によって照射することができる。【００３７】  ユーザが化粧補助装置を所定の位置に置き、電源スイッチ９０をＯＮ状態にし、初期設定などを行うと、化粧位置に沿って発光体８０が移動するとともに発光する。これにより、ユーザは鏡などを利用して顔面に照射された光の移動に沿って自身で化粧することができる。なお、初期設定をせずに、上述したレンズを前面９１の前に設置して電源スイッチ９０をＯＮ状態にしてもよい。後述する２つ目の実施の形態においても同様である。【００３８】  以下に、２つ目の実施の形態に係る化粧補助装置について図１０を用いて説明する。図１０は２つ目の実施の形態に係る化粧補助装置の構成の一例を示す構成図である。図１０に示すように、化粧補助装置は、発光体１００、制御手段１０１、格納手段１０２から構成されている。１つ目の実施の形態に係る化粧補助装置と比較して、２つ目の実施の形態に係る化粧補助装置は駆動手段が有していないが、その他の構成要素については１つ目の実施の形態に係るマッサージ補助装置のそれぞれの構成要素と同様のものであるため説明を省略する。ただし、上述したように、発光体自身が上下左右方向（または３６０度方向）に所定の角度まで傾くような態様の場合には、発光体自身を駆動させる駆動手段が必要になるが、その駆動手段と発光体自体を結合した発光駆動手段としてもよい。なお、格納手段１０２に格納された所定のプログラムは、顔面上において化粧すべき位置に照射された光が当たるように、発光体１００それぞれを発光制御するためのプログラム情報である。【００３９】  次に、２つ目の実施の形態に係る化粧補助装置について更に具体的に図１１を用いて説明する。図１１に示すように、化粧補助装置の前面１１��には複数の発光体１００が配置されている。この例では、発光体１００の数は縦に１０個、横に１０個配列されており、計１００個であるが、発光体１００の数はこれに限られるものではない。発光体１００の数が多ければ後述するように、発光の仕方のバリエーションを増やすことができるため、より繊細で精度の高い化粧を行うことが可能である。なお、発光体１００それぞれは取り外し可能であって、お互いに交換可能であってもよい。これにより、発光頻度の多い発光体と発光頻度の少ない発光体とを交換し、それぞれの発光体の寿命を平均的にすることが可能となる。１つ目の実施の形態においても同様である。【００４０】  ２つ目の実施の形態に係る化粧補助装置は、１つ目の実施の形態に係る化粧補助装置のように、不図示のユーザによって電源スイッチ１１０がＯＮ状態にされることにより起動する。ＯＮ状態になると、制御手段１０１は、格納手段１０２に格納された所定のプログラムを読み込み、読み込んだ所定のプログラムを処理する。制御手段１０１は、処理する所定のプログラムに基づいて、発光させるべき発光体１００に対して発光するための信号（発光信号）を送信する。発光体１００は、受信した信号に基づいて自身を発光させる。【００４１】  ここで、発光体１００の発光の具体的な例について図１２を用いて説明する。図１２は、上述した化粧補助装置の前面１１１を拡大したものである。前面１１１には１００個の発光体９０が配置されている。ここで、それぞれの発光体を示す際、座標値［ｉ、ｊ］を用いて示す。すなわち、例えば左下の隅を基準として、左下の隅に位置する発光体は発光体［１、１］、右下の隅に位置する発光体は発光体［１００、１］、左上の隅に位置する発光体は発光体［１、１００］、右上の隅に位置する発光体は発光体［１００、１００］と表す。【００４２】  例えば、所定のプログラムの一部が目の下に位置するラインに化粧させるためのプログラムである場合、制御手段９１は読み込んだプログラムに基づいて、目の下に位置するラインに相当する発光体、例えば左目の下に位置するラインに相当する発光体［２、７］、発光体［３、６］、発光体［４、６］を発光させるための信号を該当する発光体に送信する。この信号に基づいて、発光体［２、７］、発光体［３、６］、発光体［４、６］はそれぞれ発光する。この場合、発光体［２、７］、発光体［３、６］、発光体［４、６］は時間差をつけて発光するようにしてもよい。これにより、化粧をする方向を示すことができる。【００４３】  なお、右目の下のラインに相当する発光体［９、７］、発光体［８、６］、発光体［７、６］についても同様である。また、他の部位（頬、目頭、鼻の脇、額、あご、首など）においても同様にそれぞれの部位に相当する発光体を発光させることにより、顔面などに対する一連の化粧を行うことができる。上述した例では、発光体の数を１００個としているが、この数を多くすることによって、発光の仕方のバリエーションを増やすことができるため、より繊細で精度の高い化粧を行うことが可能である。【００４４】  ここで、１つ目及び２つ目の実施の形態に係る化粧補助装置を用いた際のユーザの顔面を図１３に示す。図１３に示すように、例えば���面上の目の下には照射された光の位置１３０があり、所定のプログラムに基づいて駆動する発光体により、光の位置１３０が左右方向に移動する。２つ目の実施の形態の場合であれば、所定のプログラムにより対応する部分の発光体が発光し、光の位置１３０が左右方向に移動する。この光の位置１３０の移動に沿って化粧を行うことによって、化粧の苦手な者や化粧の初心者でも効率よく、適切な所望の化粧を行うことができる。【００４５】  １つ目及び２つ目の実施の形態で述べたように、化粧の手順をプログラミングした所定のプログラムに基づいて、駆動手段を駆動させ発光体を発光させる、又は発光体を発光させることにより、化粧の苦手な者や化粧の初心者であっても効率よく、適切な所望の化粧を行うことができる。なお、プログラミングする化粧手順のプログラムは、１つの化粧手順に限られるものではなく、現存する様々な化粧手順（くすみやむくみ解消専用の化粧手順、リハビリ的な化粧手順、小顔にするための化粧手順など）を実現できるプログラムである。【００４６】  また、上述した各実施の形態では、顔面の化粧に用いる場合について説明したが、顔面に限らず、頭部、脚、腹部、胸部などの他の人体の部位についても同様に用いることが可能である。また、各実施の形態で説明した化粧補助装置の前面は平らな面の一面のみで構成されているが、図１４に示すように、複数の面で構成されるようにしてもよい。ここでは、前面が３面から構成されているが、中心の前面の上下に不図示の前面があってもよい。これにより、前面の一面のみでは発光された光が当たりにくい部位にも発光された光を当てることができ、立体的な顔の化粧を効率よく行うことができる。
【産業上の利用可能性】
【００４７】  本発明に係るマッサージ補助装置は、マッサージを行う人が異なっても、一定のマッサージ効果が提供でき、説明文などの理解をせずに容易にマッサージを行うことができるため、自らの顔などのマッサージを行う際に手助けとなるマッサージ補助装置などに有用である。
【図面の簡単な説明】
【００４８】
【図１】本発明の第１の実施の形態に係るマッサージ補助装置の構成の一例を示す構成図
【図２】本発明の第１の実施の形態に係るマッサージ補助装置の外観を示す外観図
【図３】本発明の第２の実施の形態に係るマッサージ補助装置の構成の一例を示す構成図
【図４】本発明の第２の実施の形態に係るマッサージ補助装置の外観を示す外観図
【図５】本発明の第２の実施の形態に係るマッサージ補助装置の前面を拡大した図
【図６】本発明の第１及び第２の実施の形態に係るマッサージ補助装置を用いた際のユーザの顔面を示す図
【図７】本発明の第１及び第２の実施の形態に係るマッサージ補助装置の前面の他の態様の一例を示す外観図
【図８】１つ目の実施の形態に係る化粧補助装置の構成の一例を示す構成図
【図９】１つ目の実施の形態に係る化粧補助装置の外観を示す外観図
【図１０】２つ目の実施の形態に係る化粧補助装置の構成の一例を示す構成図
【図１１】２つ目の実施の形態に係る化粧補助装置の外観を示す外観図
【図１２】２つ目の実施の形態に係る化粧補助装置の前面を拡大した図
【図１３】１つ目及び２つ目の実施の形態に係る化粧補助装置を用いた際のユーザの顔面を示す図
【図１４】１つ目及び２つ目の実施の形態に係る化粧補助装置の前面の他の態様の一例を示す外観図
【符号の説明】
【００４９】１０、３０  発光体
１１  駆動手段
１２、３１  制御手段
１３、３２  格納手段
２０、４０  電源スイッチ
２１、４１  前面
２２  所定の範囲
６０  光の位置
８０、３０  発光体
８１  駆動手段
８２、１０１  制御手段
８３、１０２  格納手段
９０、１１０  電源スイッチ
９１、１１１  前面
９２  所定の範囲
１３０  光の位置
【図１】
2009018147.tif 000003
【図２】
2009018147.tif 000004
【図３】
2009018147.tif 000005
【図４】
2009018147.tif 000006
【図５】
2009018147.tif 000007
【図６】
2009018147.tif 000008
【図７】
2009018147.tif 000009
【図８】
2009018147.tif 000010
【図９】
2009018147.tif 000011
【図１０】
2009018147.tif 000012
【図１１】
2009018147.tif 000013
【図１２】
2009018147.tif 000014
【図１３】
2009018147.tif 000015
【図１４】
2009018147.tif 000016